(57)【要約】【課題】端末で動作するアプリケーションの情報をテレビ電話の送信画像データとして相手に送信する電話機能付携帯電話装置およびテレビ電話機能付携帯電話装置の制御方法を提供する。【解決手段】操作部１０５より、モードを切り替える入力があったことをテレビ電話制御部１０７に通知し、テレビ電話制御部１０７はモードを切り替える。テレビ電話制御部１０７はアプリケーション１０９が作成した画像データを取得する。テレビ電話制御部１０７は、アプリケーション１０９から得た画像データをモニタ１０２に表示するとともに、音声／画像処理部１０８に送る。自端末モニタ２０１には、アプリケーション１０９の画像データが表示される。音声／画像処理部１０８にて送信画像データに変換して、通信部１０６を使用して相手端末に送信する。【選択図】図２
2008252563.tif 000002
【特許請求の範囲】
【請求項１】
撮像データまたは通信画像データのいずれか一方を指定可能な操作手段と、
前記通信画像データが指定された場合は、前記通信画像データを送信用データに変換して他のテレビ電話機能付携帯電話装置に対して送信する送信手段と、
送信した前記通信画像データを表示する表示手段と、
各手段を制御する制御手段とを有することを特徴とするテレビ電話機能付携帯電話装置。
【請求項２】
前記通信画像データは、アプリケーションから取得したアプリケーション画像データであることを特徴とする請求項１に記載のテレビ電話機能付携帯電話装置。
【請求項３】
前記制御手段は、前記アプリケーションが作成した画像データと、位置情報を示す目印とを取得して画像合成し、前記送信手段に前記他のテレビ電話機能付携帯電話装置に対して合成した画像を送信させることを特徴とする請求項２に記載のテレビ電話機能付携帯電話装置。
【請求項４】
第１と、第２のテレビ電話機能付携帯電話装置が画像データを共有して通話を行うテレビ電話機能付携帯電話装置の制御方法であって、
第１のテレビ電話機能付携帯電話装置の制御手段は、通信画像データを送信用データに変換して第２のテレビ電話機能付携帯電話装置に対して送信手段に送信させ、
第２のテレビ電話機能付携帯電話装置の制御手段は、前記通信画像データを受信後、自装置の表示手段に前記通信画像を表示させて通話を行うように制御することを特徴とするテレビ電話機能付携帯電話装置の制御方法。
【請求項５】
前記通信画像データは、アプリケーションから取得したアプリケーション画像データであることを特徴とする請求項４に記載のテレビ電話機能付携帯電話装置の制御方法。
【請求項６】
前記第１のテレビ電話機能付携帯電話装置は、前記制御手段で前記アプリケーションが作成した画像データと、位置情報を示す目印とを取得して画像合成し、前記送信手段に前記第２のテレビ電話機能付携帯電話装置に対して合成した画像を送信させ、前記第２のテレビ電話機能付携帯電話装置は、前記合成した画像を受信し、前記合成した画像を表示して通話を行うことを特徴とする請求項５に記載のテレビ電話機能付携帯電話装置の制御方法。
【発明の詳細な説明】
【技術分野】
【０００１】
本発明は、アプリケーションの画像データを送信可能なテレビ電話機能付携帯電話装置およびテレビ電話機能付携帯電話装置の制御方法に関する。
【背景技術】
【０００２】
テレビ電話による通話時、相手に送る画像データはカメラで撮っている画像か、端末またはサーバが送信する特定の画像になっている。このため、地図情報やＨＴＭＬ、ゲーム画面といった端末で動作するアプリケーションデータ等の画像について、簡易に相手に伝える手段が無かった。
【０００３】
従来のテレビ電話機能を図１と、図５とを参照して説明する。
【０００４】
図１において、自端末の送信画像２０４と相手端末の通信相手画像２０２は、撮影用レンズ１０１で撮影した画像やテレビ電話制御部１０７等用意している画像を表示する。
【０００５】
また、従来のテレビ電話機能を有する技術を次に開示する。
【０００６】
静止画又は動画による画像通信と同時に音声通話を行うテレビ電話機能付きの携帯電話端末において、相手局に対して、マルチアクセス機能により行われている自局のデータ通信による表示情報を送信画像として、もしくは他の送信画像と合成して送信することにより、相手方に対してマルチアクセス機能で取得したデータ通信情報をリアルタイムで共有化することを可能とするテレビ電話機能付携帯電話端末が提案されている。
【０００７】
外部からコンテンツデータを取得し、取得されたコンテンツデータ、および、目印を表示画面に表示するように表示部を制御し、入力受付部によって受け付けられた利用者による入力操作情報に基づいて、目印の表示位置を移動させ、目印の位置を示す目印情報、および、表示部に表示されているコンテンツデータの提供元を示すコンテンツ提供元情報を他の情報通信端末に対して送信するように通信部を制御する情報通信端末および端末制御方法、端末制御プログラム並びにこれを記録した記録媒体が提案されている。
【特許文献１】特開２００４−２２８８０５号公報
【特許文献２】特開２００５−２４４８６６号公報
【発明の開示】
【発明が解決しようとする課題】
【０００８】
しかしながら、従来のテレビ電話機能においては、次のような課題がある。
【０００９】
第１の課題は、自端末のアプリケーションの画像を送信することが出来ないため、アプリケーションの画像を対象としたコミュニケーションが難しいということである。
【００１０】
第２の課題は、代理画像はテレビ電話機能で用意されているものを使用する必要があるため、選択の自由度が無い事と、第３者が機能を提供できないということである。
【００１１】
そこで本発明の目的は、任意のアプリケーションが作成した画像を相手端末に表示させるテレビ電話機能付携帯電話装置およびテレビ電話機能付携帯電話装置の制御方法を提供することにある。
【課題を解決するための手段】
【００１２】
上記の目的を達成するため、請求項１に記載の発明は、撮像データまたは通信画像データのいずれか一方を指定可能な操作手段と、前記通信画像データが指定された場合は、前記通信画像データを送信用データに変換して他のテレビ電話機能付携帯電話装置に対して送信する送信手段と、送信した前記通信画像データを表示する表示手段と、各手段を制御する制御手段とを有するテレビ電話機能付携帯電話装置であることを特徴とする。
【００１３】
請求項２に記載の発明は、請求項１に記載のテレビ電話機能付携帯電話装置において、前記通信画像データは、アプリケーションから取得したアプリケーション画像データであることを特徴とする。
【００１４】
請求項３に記載の発明は、請求項２に記載のテレビ電話機能付携帯電話装置において、前記制御手段は、前記アプリケーションが作成した画像データと、位置情報を示す目印とを取得して画像合成し、前記送信手段に前記他のテレビ電話機能付携帯電話装置に対して合成した画像を送信させることを特徴とする。
【００１５】
請求項４に記載の発明は、第１と、第２のテレビ電話機能付携帯電話装置が画像データを共有して通話を行うテレビ電話機能付携帯電話装置の制御方法であって、第１のテレビ電話機能付携帯電話装置の制御手段は、通信画像データを送信用データに変換して第２のテレビ電話機能付携帯電話装置に対して送信手段に送信させ、第２のテレビ電話機能付携帯電話装置の制御手段は、前記通信画像データを受信後、自装置の表示手段に前記通信画像を表示させて通話を行うように制御するテレビ電話機能付携帯電話装置の制御方法であることを特徴とする。
【００１６】
請求項５に記載の発明は、請求項４に記載のテレビ電話機能付携帯電話装置の制御方法において、前記通信画像データは、アプリケーションから取得したアプリケーション画像データであることを特徴とする。
【００１７】
請求項６に記載の発明は、請求項５に記載のテレビ電話機能付携帯電話装置の制御方法において、前記第１のテレビ電話機能付携帯電話装置は、前記制御手段で前記アプリケーションが作成した画像データと、位置情報を示す目印とを取得して画像合成し、前記送信手段に前記第２のテレビ電話機能付携帯電話装置に対して合成した画像を送信させ、前記第２のテレビ電話機能付形態電話装置は、前記合成した画像を受信し、前記合成した画像を表示して通話を行うことを特徴とする。
【発明の効果】
【００１８】
本発明によれば、端末で動作するアプリケーションの情報をテレビ電話の送信画像データとして相手に送信することで、相手端末の画面に表示させるテレビ電話機能付携帯電話装置およびテレビ電話機能付携帯電話装置の制御方法を提供することを可能とする。
【発明を実施するための最良の形態】
【００１９】
本発明を実施するための好適な実施の形態について説明する。本実施形態は、これに限定されることなく、趣旨を逸脱しない範囲で適用可能とする。本実施形態では、テレビ電話機能を備えた端末において、「端末上で動作するアプリケーションが端末のモニタに表示させる画像データ」(以下、アプリ画像データとする)を相手端末に送信している。
【００２０】
（第１実施形態）
本実施形態のテレビ電話装置について図１を用いて説明する。図１は、本実施形態のテレビ電話装置の構成を示す図である。
【００２１】
図１に示す操作部１０５は、アプリ画像データを表示させるモード切り替えのキー入力を受け付け、テレビ電話制御部１０７に通知する。アプリ画像データを表示させるモードの時、テレビ電話制御部１０７はアプリケーション１０９で作成された画像データを、モニタ１０２に表示させるとともに、音声／画像処理部１０８にて送信画像データに変換して、通信部１０６に送る。これによりアプリ画像データは、モニタ１０２に表示されるとともに通信部１０６が相手端末に送信するため、相手端末でも同じ画像を表示させることが可能となる。
【００２２】
図１において、操作部１０５は、撮影用レンズ１０１で撮影される画像のように従来のテレビ電話に用いられる画像か、アプリ画像データかモードを変更するキー入力を受け付ける。テレビ電話制御部１０７は、アプリ画像データモード時に指定されたアプリケーション１０９の画像データをモニタ１０２で表示させるとともに、音声／画像処理部１０８にて変換して通信部１０６に送る。通信部１０６はテレビ電話制御部１０７から受けたデータをテレビ電話機能を用いて相手端末に送信する。
【００２３】
本実施形態のテレビ電話装置の構成を述べたが、図１の撮影用レンズ１０１、スピーカ１０３、マイク１０４は、当業者にとってよく知られており、また本発明とは直接関係しないので、その詳細な構成は省略する。
【００２４】
上述した本実施形態のテレビ電話装置の構成において、従来のテレビ電話機能使用時から、アプリ画像データにモードを切り替えた場合の動作について図２、図３を用いて以下に説明する。図２は、図１のテレビ電話装置におけるモード切り替え時の動作を説明するブロック図である。図３は、本発明の第１実施形態のテレビ電話装置の表示画面を示す図である。
【００２５】
（１）図２に示す操作部１０５より、モードを切り替える入力があったことをテレビ電話制御部１０７に通知し、テレビ電話制御部１０７はモードを切り替える。
（２）テレビ電話制御部１０７はアプリケーション１０９が作成した画像データを取得する。
（３）テレビ電話制御部１０７は、アプリケーション１０９から得た画像データをモニタ１０２に表示するとともに、音声／画像処理部１０８に送る。自端末モニタ２０１には、アプリケーション１０９の画像データが表示される。
（４）音声／画像処理部１０８にて送信画像データに変換して、通信部１０６を使用して相手端末に送信することで、相手端末モニタの通信相手画像２０２には、通信部１０６から送られた画像データが表示される。
【００２６】
以上説明したように、本実施形態によれば、端末のアプリケーション等で作成している画像を相手端末に送信しているので、同じ画面を見てコミュニケーションを行うことが可能となる効果を奏する。
【００２７】
（第２実施形態）
本発明の第２実施形態のテレビ電話装置について、その基本的構成は上述した第１実施形態のテレビ電話装置の構成と同様であるが、本実施形態のテレビ電話装置では、自端末のモニタ１０２への表示についてさらに工夫している。その構成、動作について図４、図５を用いて説明する。図４は、本発明の第２の実施形態のテレビ電話装置の構成、動作を示すブロック図である。図５は、本発明の第２の実施形態のテレビ電話装置の表示画面を示す図である。
【００２８】
図４、図５において、音声／画像処理部１０８は変換した送信画像データを通信部に送るとともに、テレビ電話制御部１０７に送る。テレビ電話制御部１０７は、送信画像データをモニタ１０２に送信画像２０４として表示させる。
【００２９】
本実施形態のテレビ電話装置の動作としては以下の様になる。
【００３０】
（１）図４に示す操作部１０５より、モードを切り替える入力があったことをテレビ電話制御部１０７に通知し、テレビ電話制御部１０７はモードを切り替える。
（２）テレビ電話制御部１０７はアプリケーション１０９が作成した画像データを取得する。
（３）テレビ電話制御部１０７は、アプリケーション１０９から得た画像データを音声／画像処理部１０８に送る。
（４）音声／画像処理部１０８にて送信画像データに変換して、通信部１０６を使用して相手端末に送信することで、相手端末モニタの通信相手画像２０２には、通信部１０６から送られた画像データが表示される。
（５）音声／画像処理部１０８は、送信画像データをテレビ電話制御部１０７に送る。
（６）テレビ電話制御部１０７は、送信画像データをモニタ１０２の送信画像２０４として表示させる。
【００３１】
このように本実施形態では、アプリケーション１０９が作成した画像データを従来のテレビ電話機能の送信画像として扱うことが出来るため、従来のテレビ電話機能の代理画像を表示させる事と同等の効果が得られる。これにより、代理画像の選択の幅が広がると同時に、第３者による代理画像機能が容易に提供できるようになる。
【００３２】
（第３実施形態）
本発明の第３の実施形態として、その基本的構成は、上述した第２実施形態のテレビ電話装置の構成と同様であるが、送信画像データについて更に工夫することが考えられる。その構成例、動作について図６、図７を用いて説明する。図６は、本発明の第３の実施形態のテレビ電話装置の構成、動作を示すブロック図である。図７は、本発明の第３の実施形態のテレビ電話装置の表示画面を示す図である。
【００３３】
図６、図７において、アプリケーション１０９が作成する画像データとともにポインタ２０５もアプリ画像データとして相手に送信するキー入力が行われると、操作部１０５は、テレビ電話制御部１０７に通知する。テレビ電話制御部１０７はアプリ画像データモード時に指定されたアプリケーション１０９の画像データにポインタ２０５のデータを合成し、音声／画像処理部１０８に送ることで相手端末の通信相手画像２０２にポインタ２０６が含まれた画像を表示させることが可能になる。
【００３４】
本実施形態のテレビ電話装置の動作としては以下の様になる。
【００３５】
（１）図６に示す操作部１０５より、ポインタ２０５もアプリ画像データとして相手に送信するキー入力があったことをテレビ電話制御部１０７に通知する。
（２）テレビ電話制御部１０７はアプリケーション１０９が作成した画像データとともに、ポインタ２０５の位置／画像データを取得して画像を合成する。
（３）テレビ電話制御部１０７は、アプリケーション１０９とポインタ２０５から得た画像データをモニタ１０２に表示するとともに、音声／画像処理部１０８に送る。自端末モニタ２０１には、アプリケーション１０９とポインタ２０５の画像データが表示される。
（４）音声／画像処理部１０８にて送信画像データに変換して、通信部１０６を使用して相手端末に送信することで、相手端末モニタの通信相手画像２０２には、通信部１０６から送られた画像データが表示される。
【００３６】
このように本実施形態では、ポインタ２０５のデータも相手端末の通信相手画像２０２に表示させるため、アプリケーション１０９が作成した画像の特定の場所を示すことが出来るため、よりコミュニケーションが容易になる。
【図面の簡単な説明】
【００３７】
【図１】本発明の第１実施形態のテレビ電話装置を示すブロック図である。
【図２】本発明の第１実施形態のテレビ電話装置について構成、動作を説明するブロック図である。
【図３】本発明の第１実施形態のテレビ電話装置の表示画面を示す図である。
【図４】本発明の第２実施形態のテレビ電話装置について構成、動作を説明するブロック図である。
【図５】本発明の第２実施形態のテレビ電話装置の表示画面を示す図である。
【図６】本発明の第３実施形態のテレビ電話装置について構成、動作を説明するブロック図である。
【図７】本発明の第３実施形態のテレビ電話装置の表示画面を示す図である。
【符号の説明】
【００３８】
１０１    撮影用レンズ
１０２    モニタ
１０３    スピーカ
１０４    マイク
１０５    操作部
１０６    通信部
１０７    テレビ電話制御部
１０８    音声／画像処理部
１０９    アプリケーション
２０１、２０２    通信相手画像
２０３、２０４    送信画像
２０５、２０６    ポインタ
【図１】
2008252563.tif 000003
【図２】
2008252563.tif 000004
【図３】
2008252563.tif 000005
【図４】
2008252563.tif 000006
【図５】
2008252563.tif 000007
【図６】
2008252563.tif 000008
【図７】
2008252563.tif 000009